【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
基地局(BS)に、前記BSによって前記UEに送信されたコードブロックグループ(CBG)の受信されたセットの各々に対応する肯定応答(ACK)または否定応答(NACK)を示すフィードバックを送信するステップと、
前記フィードバックが、前記CBGのうちの1つまたは複数が前記BSによって再送信されるべきであるかどうかに関する情報を含む指示を受信するステップと、
前記受信された指示に基づいて前記CBGのうちの1つまたは複数の再送信を処理するステップと
を含む方法。
【請求項２】
前記フィードバックが、前記UEによって受信された前記CBGに対応するACKおよびNACKの第1のビットマップに関する情報を含み、
前記指示が、前記BSによって受信されたACKおよびNACKの第2のビットマップに関する情報を含み、
前記第2のビットマップが、前記BSにおいて前記第1のビットマップを復号した結果に基づき、
前記第2のビットマップに基づいて、前記フィードバックが前記BSによって正確に受信されたかどうかを決定するステップをさらに含む、請求項1に記載の方法。
【請求項３】
ACKまたはNACKの前記第2のビットマップに基づいて、前記BSによって不正確に受信されたCBGに対応するACKまたはNACKを決定するステップをさらに含む、請求項2に記載の方法。
【請求項４】
前記第2のビットマップに基づいて、前記フィードバックが前記BSによって正確に受信されたかどうかを決定するステップが、
前記第2のビットマップを前記第1のビットマップと比較するステップと、
前記第2のビットマップが前記第1のビットマップと同じである場合、前記フィードバックが前記BSによって正確に受信されたと決定するステップと、
前記第2のビットマップが前記第1のビットマップと同じではない場合、前記フィードバックが前記BSによって不正確に受信されたと決定するステップと
を含む、請求項2に記載の方法。
【請求項５】
前記フィードバックが前記BSによって正確に受信されたと決定したことに応答して、前記CBGを復号するために、前記再送信されたCBGの各々の対数尤度比(LLR)を、前記CBGの以前に受信されたバージョンのLLRと合成するステップをさらに含む、請求項1に記載の方法。
【請求項６】
前記指示が、再送信許可としてダウンリンク制御情報(DCI)において受信される、請求項1に記載の方法。
【請求項７】
前記DCIが前記指示を含む場合、前記DCIの第1の長さが維持される、請求項6に記載の方法。
【請求項８】
前記フィードバックが、前記UEによって受信された前記CBGに対応するACKおよびNACKの第1のビットマップに関する情報を含み、
前記指示が、前記BSによって受信されたACKおよびNACKの第2のビットマップのハッシュを含み、
前記第2のビットマップが、前記BSにおいて前記第1のビットマップを復号した結果に基づき、
前記第2のビットマップの前記ハッシュに基づいて、前記フィードバックが前記BSによって正確に受信されたかどうかを決定するステップをさらに含む、請求項1に記載の方法。
【請求項９】
前記フィードバックが、前記受信されたCBGに対応するACKおよびNACKの第1のビットマップに関する情報を含み、
前記指示が、ダウンリンク制御情報(DCI)およびCRCを含み、
前記CRCが、DCIと前記BSによって受信されたACKおよびNACKの第2のビットマップの連結シーケンスに基づいて生成され、前記UEの識別情報を使用してさらにスクランブルされ、
前記第2のビットマップが、前記BSにおいて前記第1のビットマップを復号した結果に基づき、
前記受信されたDCIおよび前記CRCに基づいて、前記フィードバックが前記BSによって正確に受信されたかどうかを決定するステップをさらに含むか、または
前記フィードバックが、前記受信されたCBGに対応するACKおよびNACKの第1のビットマップに関する情報を含み、
前記指示が、ダウンリンク制御情報(DCI)およびCRCを含み、
前記CRCが、前記DCIに基づいて生成され、次いで、前記UEの識別情報と、前記BSによって受信されたACKおよびNACKの第2のビットマップとを用いてスクランブルされ、
前記第2のビットマップが、前記BSにおいて前記第1のビットマップを復号した結果に基づき、
前記受信されたDCIおよび前記CRCに基づいて、前記フィードバックが前記BSによって正確に受信されたかどうかを決定するステップをさらに含む、請求項1に記載の方法。
【請求項１０】
前記UEにおいて受信された以前の送信からの1つまたは複数のCBGについての対数尤度比(LLR)のソフト合成を停止するための、前記BSからの別の指示を、ダウンリンク制御情報(DCI)において受信するステップであって、前記別の指示が少なくとも1つのビットを含む、ステップをさらに含む、請求項1に記載の方法。
【請求項１１】
基地局(BS)によるワイヤレス通信の方法であって、
ユーザ機器(UE)から、前記BSによって送信されたコードブロックグループ(CBG)の受信されたセットの各々に対応する肯定応答(ACK)または否定応答(NACK)を示すフィードバックを受信するステップと、
前記フィードバックが、前記CBGのうちの1つまたは複数が前記BSによって再送信されるべきであるかどうかに関する情報を含む指示を送信するステップと、
前記送信された指示に基づいて前記CBGのうちの1つまたは複数を再送信するステップと
を含む方法。
【請求項１２】
ユーザ機器(UE)によるワイヤレス通信のための装置であって、
基地局(BS)に、前記BSによって前記UEに送信されたコードブロックグループ(CBG)の受信されたセットの各々に対応する肯定応答(ACK)または否定応答(NACK)を示すフィードバックを送信するための手段と、
前記フィードバックが、前記CBGのうちの1つまたは複数が前記BSによって再送信されるべきであるかどうかに関する情報を含む指示を受信するための手段と、
前記受信された指示に基づいて前記CBGのうちの1つまたは複数の再送信を処理するための手段と
を備える装置。
【請求項１３】
基地局(BS)によるワイヤレス通信のための装置であって、
ユーザ機器(UE)から、前記BSによって送信されたコードブロックグループ(CBG)の受信されたセットの各々に対応する肯定応答(ACK)または否定応答(NACK)を示すフィードバックを受信するための手段と、
前記フィードバックが、前記CBGのうちの1つまたは複数が前記BSによって再送信されるべきであるかどうかに関する情報を含む指示を送信するための手段と、
前記送信された指示に基づいて前記CBGのうちの1つまたは複数を再送信するための手段と
を備える装置。
【請求項１４】
ユーザ機器(UE)によるワイヤレス通信のための方法であって、
基地局(BS)に、前記BSによって前記UEに送信されたコードブロックグループ(CBG)の受信されたセットの各々に対応する肯定応答(ACK)または否定応答(NACK)を示すフィードバックを送信するステップと、
前記フィードバックに基づいて前記CBGのうちの1つまたは複数の再送信を受信するステップと、
前記再送信されたCBGのうちの少なくとも1つについて対数尤度比(LLR)の収集をリセットするための指示を受信するステップと、
前記指示に基づいて前記再送信を処理するステップと
を含む方法。
【請求項１５】
基地局(BS)によるワイヤレス通信の方法であって、
ユーザ機器(UE)から、前記BSによって送信されたコードブロックグループ(CBG)の受信されたセットの各々に対応する肯定応答(ACK)または否定応答(NACK)を示すフィードバックを受信するステップと、
前記フィードバックに基づいて前記CBGのうちの1つまたは複数を再送信するステップと、
前記BSによって送信された前記CBGのうちの1つまたは複数に対応するデータが他のデータによってパンクチャリングされたと決定するステップと、
前記決定に応答して、前記再送信されたCBGのうちの少なくとも1つについて前記UEにおける対数尤度比(LLR)の収集をリセットするための指示を送信するステップと
を含む方法。